(57)【要約】【課題】製造工程を監視して、製造工程が定常状態に達した時点を特定することができる装置及び方法を提供する。【解決手段】装置が、非定常状態から定常状態に遷移する製造工程に関連する学習スペクトルデータを受信することができる。この装置は、学習スペクトルデータに基づいて、サポートベクターマシン（ＳＶＭ）分類モデルの複数回の反復を生成することができる。この装置は、ＳＶＭ分類モデルの複数回の反復に基づいて、製造工程に関連する予測遷移時刻を決定することができる。複数の予測遷移時刻のうちのある予測遷移時刻は、製造工程中に、ＳＶＭ分類モデルの対応する反復回が、製造工程が非定常状態から定常状態に遷移したことを予測する時刻を識別することができる。この装置は、複数の予測遷移時刻に基づいて、製造工程が定常状態に達したか否かを判定することに関連する最終的なＳＶＭ分類モデルを生成することができる。【選択図】図４
2018189638.tif 000002
【特許請求の範囲】
【請求項１】
１つ以上のプロセッサを具えた装置であって、該プロセッサは、
非定常状態から定常状態に遷移する製造工程に関連する学習スペクトルデータを受信し、
前記学習スペクトルデータに基づいて、サポートベクターマシン（ＳＶＭ）分類モデルの複数回の反復を生成し、
前記ＳＶＭ分類モデルの複数回の反復に基づいて、前記製造工程に関連する複数の予測遷移時刻を決定し、
前記複数の予測遷移時刻に基づいて、前記製造工程が前記定常状態に達したか否かを判定することに関連する最終的なＳＶＭ分類モデルを生成し、
前記複数の予測遷移時刻のうちの１つの遷移時刻は、前記製造工程中に、前記ＳＶＭ分類モデルの対応する反復回が、前記製造工程が前記非定常状態から前記定常状態に遷移したことを予測する時刻を識別する、装置。
【請求項２】
前記１つ以上のプロセッサが、さらに、
前記製造工程に関連する追加的スペクトルデータを受信し、
前記最終的なＳＶＭ分類モデル及び前記追加的スペクトルデータに基づいて、前記製造工程が前記定常状態に達していないものと判定する、請求項１に記載の装置。
【請求項３】
前記１つ以上のプロセッサが、さらに、
前記製造工程に関連する追加的スペクトルデータを受信し、
前記最終的なＳＶＭ分類モデル及び前記追加的スペクトルデータに基づいて、前記製造工程が前記定常状態に達しているものと判定する、請求項１に記載の装置。
【請求項４】
前記１つ以上のプロセッサが、さらに、
前記製造工程が前記定常状態に達したことの指標を提供する、請求項３に記載の装置。
【請求項５】
前記１つ以上のプロセッサが、さらに、
前記製造工程が前記定常状態に達したものと判定したことに基づいて、前記定常状態に関連する定量的測定基準を定め、
前記定量的測定基準に関連する情報を提供する、請求項３に記載の装置。
【請求項６】
前記１つ以上のプロセッサが、前記ＳＶＭ分類モデルの複数回の反復を生成する際に、
前記学習スペクトルデータに基づいて、非定常状態データの集合及び定常状態データの集合を作成し、
前記ＳＶＭ分類モデルの複数回の反復のうちの１回の反復を、前記非定常状態データの集合及び前記定常状態データの集合に基づいて生成する、請求項１に記載の装置。
【請求項７】
前記１つ以上のプロセッサが、前記複数の遷移時刻を決定する際に、
前記学習スペクトルデータ及び前記ＳＶＭ分類モデルの反復に基づいて、前記ＳＶＭ分類モデルの反復に関連する予測遷移時刻を決定し、
該予測遷移時刻は、前記複数の予測遷移時刻のうちの１つである、請求項６に記載の装置。
【請求項８】
前記１つ以上のプロセッサが、さらに、
前記学習スペクトルデータに基づいて、前記ＳＶＭ分類モデルの前記複数回の反復を生成する前に次元縮小を実行する、請求項１に記載の装置。
【請求項９】
命令を記憶する非一時的コンピュータ可読媒体であって、該命令は、
１つ以上のプロセッサによって実行されると、該１つ以上のプロセッサに、
非定常状態から定常状態に遷移する製造工程の第１実行部分に関連する学習スペクトルデータを受信させ、
前記学習スペクトルデータに基づいて、前記製造工程の他の実行部分が前記非定常状態から前記定常状態に遷移したか否かを判定することに関連するサポートベクターマシン（ＳＶＭ）分類モデルを反復的に生成させ、
前記製造工程の第２実行部分に関連する追加的スペクトルデータを受信させ、
前記ＳＶＭ分類モデル及び前記追加的スペクトルデータに基づいて、前記製造工程の前記第２実行部分が前記非定常状態から前記定常状態に遷移したか否かを判定させる
ための１つ以上の命令を含む、非一時的コンピュータ可読媒体。
【請求項１０】
前記１つ以上のプロセッサに、前記製造工程の前記第２実行部分が前記非定常状態から前記定常状態に遷移したか否かを判定させるための前記１つ以上の命令が、前記１つ以上のプロセッサに、
前記製造工程の前記第２実行部分が前記非定常状態から前記定常状態に遷移したものと判定させ、
前記製造工程の前記第２実行部分が前記非定常状態から前記定常状態に遷移したことの指標を提供させる、
請求項９に記載の非一時的コンピュータ可読媒体。
【請求項１１】
前記１つ以上の命令が、前記１つ以上のプロセッサによって実行されると、前記１つ以上のプロセッサに、さらに、
前記製造工程の前記第２実行部分が前記非定常状態から前記定常状態に遷移したことに基づいて、前記製造工程の前記第２実行部分に関連する定量的測定基準を定めさせ、
前記定量的測定基準に関連する情報を提供させる、
請求項１０に記載の非一時的コンピュータ可読媒体。
【請求項１２】
前記１つ以上の命令が、前記１つ以上のプロセッサによって実行されると、前記１つ以上のプロセッサに、さらに、
前記定量的測定基準に関連する回帰モデルを識別させ、
前記１つ以上のプロセッサに前記定量的測定基準を定めさせるための前記１つ以上の命令が、前記１つ以上のプロセッサに、
前記回帰モデルに基づいて前記定量的測定基準を定めさせる、
請求項１１に記載の非一時的コンピュータ可読媒体。
【請求項１３】
前記１つ以上のプロセッサに前記ＳＶＭ分類モデルを反復的に生成させるための前記１つ以上の命令が、前記１つ以上のプロセッサに、
前記学習スペクトルデータに基づいて、非定常状態データの第１集合及び定常状態データの第１集合を生成させ、
前記非定常状態データの第１集合及び前記定常状態データの第１集合に基づいて、前記ＳＶＭ分類モデルの１回目の反復を生成させ、
前記学習スペクトルデータに基づいて、前記非定常状態データの第２集合及び前記定常状態データの第２集合を作成させ、
前記非定常状態データの第２集合及び前記定常状態データの第２集合に基づいて、前記ＳＶＭ分類モデルの２回目の反復を生成させる、
請求項９に記載の非一時的コンピュータ可読媒体。
【請求項１４】
前記１つ以上の命令が、前記１つ以上のプロセッサによって実行されると、前記１つ以上のプロセッサに、さらに、
前記ＳＶＭ分類モデルの前記１回目の反復に基づいて、前記ＳＶＭ分類モデルの前記１回目の反復に関連する予測遷移時刻を決定させ、
前記１つ以上のプロセッサに前記非定常状態データの第２集合を作成させるための前記１つ以上の命令が、前記１つ以上のプロセッサに、
前記ＳＶＭ分類モデルの前記１回目の反復に関連する前記予測遷移時刻に基づいて、前記非定常状態データの前記第２集合を作成させる、
請求項１３に記載の非一時的コンピュータ可読媒体。
【請求項１５】
装置によって、非定常状態から定常状態に遷移する製造工程の第１実行部分に関連する第１スペクトルデータを受信するステップと、
前記装置によって、第１スペクトルデータに基づいて、サポートベクターマシン（ＳＶＭ）分類モデルの複数回の反復を生成するステップと、
前記装置によって、前記ＳＶＭ分類モデルの前記複数回の反復に基づいて、前記製造工程の前記第１実行部分に関連する複数の予測遷移時刻を決定するステップと、
前記装置によって、前記複数の予測遷移時刻に基づいて、前記製造工程の他の実行部分が前記定常状態に達したか否かを判定することに関連する最終的なＳＶＭ分類モデルを生成するステップと、
前記装置によって、前記製造工程の第２実行部分に関連する第２スペクトルデータを受信するステップと、
前記装置によって、前記製造工程の前記第２実行部分が前記定常状態に達したか否かを、前記最終的なＳＶＭ分類モデル及び前記第２スペクトルデータに基づいて判定するステップと
を含む方法。
【請求項１６】
前記製造工程の前記第２実行部分が前記定常状態に達したか否かを判定するステップが、
前記製造工程の前記第２実行部分が前記定常状態に達していないものと判定することを含む、請求項１５に記載の方法。
【請求項１７】
前記製造工程の前記第２実行部分が前記定常状態に達したか否かを判定するステップが、
前記製造工程の前記第２実行部分が前記定常状態に達したものと判定することを含む、請求項１５に記載の方法。
【請求項１８】
前記製造工程が前記定常状態に達したことの指標を提供するステップをさらに含み、
前記指標を提供するステップが、前記製造工程に関連する動作を自動的に実行させる、請求項１７に記載の方法。
【請求項１９】
前記製造工程に関連する回帰モデルに基づいて、前記定常状態に関連する定量的測定基準を定めるステップと、
前記定量的測定基準に関連する情報を提供するステップと
をさらに含む、請求項１７に記載の方法。
【請求項２０】
前記ＳＶＭ分類モデルの前記複数回の反復を生成する前に、前記第１スペクトルデータに関連する次元縮小を実行するステップをさらに含む、請求項１５に記載の方法。
【発明の詳細な説明】
【背景技術】
【０００１】
製造工程（例えば、連続製造工程、バッチ製造工程）を実現することの一部として、工程分析技術（ＰＡＴ：process analytical technology）システムを利用して、製造工程の監視及び制御を可能にするリアルタイム・データまたは準リアルタイム・データ（例えば、スペクトルデータ）を生成することができる。連続製造工程は、原材料をシステム内に投入して、最終製品（例えば医薬品）をシステムから連続様式で送り出すことができる。換言すれば、連続製造工程では、製造工程の個別ステップが、（例えば、バッチ製造工程のような一連の離散的ステップではなく）単一の統合された製造工程に変換される。
【発明の概要】
【課題を解決するための手段】
【０００２】
一部の可能な実現によれば、装置が１つ以上のプロセッサを含んで：非定常状態から定常状態に遷移する製造工程に関連する学習スペクトルデータを受信し；学習スペクトルデータに基づいて、サポートベクターマシン（ＳＶＭ：support vector machine）分類モデルの複数回の反復を生成し；ＳＶＭ分類モデルの複数回の反復に基づいて、製造工程に関連する複数の予測遷移時刻を決定し；これらの予測遷移時刻のうち１つの遷移時刻は、製造工程中に、ＳＶＭ分類モデルの対応する反復回が、製造工程が非定常状態から定常状態に遷移したことを予測する時刻を識別することができ；複数の予測した遷移時刻に基づいて、製造工程が定常状態に達したか否かを判定することに関連する最終的な分類モデルを生成する。
【０００３】
一部の可能な実現によれば、非一時的コンピュータ可読媒体が１つ以上の命令を記憶することができ、これらの命令は、１つ以上のプロセッサによって実行されると、これらの１つ以上のプロセッサに：非定常状態から定常状態に遷移する製造工程の第１実行部分に関連する学習スペクトルデータを受信させ；この学習スペクトルデータに基づいて、製造工程の他の実行部分が非定常状態から定常状態に遷移したか否かを判定することに関連するＳＶＭ分類モデルを反復的に生成させ；製造工程の第２実行部分に関連する追加的スペクトルデータを受信させ；ＳＶＭ分類モデル及び追加的スペクトルデータに基づいて、製造工程の第２実行部分が非定常状態から定常状態に遷移したか否かを判定させる。
【０００４】
一部の可能な実現によれば、方法が：装置によって、非定常状態から定常状態に遷移する製造工程の第１実行部分に関連する第１スペクトルデータを受信するステップと；この装置によって、第１スペクトルデータに基づいて、ＳＶＭ分類モデルの複数回の反復を生成するステップと；上記装置によって、ＳＶＭ分類モデルの複数回の反復に基づいて、製造工程の第１実行部分に関連する複数の予測遷移時刻を決定するステップと；上記装置によって、複数の予測遷移時刻に基づいて、製造工程の他の実行部分が定常状態に達したか否かを判定することに関連する最終的なＳＶＭ分類モデルを生成するステップと；上記装置によって、製造工程の第２実行部分に関連する第２スペクトルデータを受信するステップと；上記装置によって、製造工程の第２実行部分が定常状態に達したか否かを、最終的なＳＶＭ分類モデル及び第２スペクトルデータに基づいて判定するステップとを含むことができる。
【図面の簡単な説明】
【０００５】
【図１Ａ】本明細書中に説明する実現例の概要を示す図である。
【図１Ｂ】本明細書中に説明する実現例の概要を示す図である。
【図１Ｃ】本明細書中に説明する実現例の概要を示す図である。
【図２】本明細書中に説明するシステム及び／または方法を実現することができる環境の例を示す図である。
【図３】図２の１つ以上の装置の構成要素の例を示す図である。
【図４】製造工程が定常状態に達した時点を検出するためのＳＶＭ分類モデルを生成するためのプロセスの例のフローチャートである。
【図５Ａ】製造工程に関連するＳＶＭ分類モデルの反復によって予測した遷移時刻に基づいて、製造工程の遷移時刻を決定することに関連するグラフ表現の例を示す図である。
【図５Ｂ】製造工程に関連するＳＶＭ分類モデルの反復によって予測した遷移時刻に基づいて、製造工程の遷移時刻を決定することに関連するグラフ表現の例を示す図である。
【図６】スペクトルデータに基づいて、ＳＶＭ分類モデルを用いて、製造工程が定常状態に達したか否かを判定するためのプロセスの例のフローチャートである。
【図７Ａ】ＳＶＭ分類モデルに関連する簡略化した決定境界を例示するグラフ表現の例である。
【図７Ｂ】ＳＶＭ分類モデルに関連する簡略化した決定境界を例示するグラフ表現の例である。
【図８】図７Ａ及び７Ｂの決定境界に基づいて決定される判定値の例のグラフ表現である。
【発明を実施するための形態】
【０００６】
詳細な説明
以下の実現例の詳細な説明は、添付した図面を参照する。異なる図面中では、同じ参照番号が同一または同様の要素を識別することがある。
【０００７】
製造工程（例えば、医薬品を製造するための連続製造工程またはバッチ製造工程）が、非定常状態（例えば、材料及び／または化合物の性質が時間と共に変化する状態）から定常状態（例えば、材料及び／または化合物の性質が経時的にほぼ一定のままである状態）への遷移のような１つ以上の状態遷移を含むことができる。例えば、医薬品を製造する製造工程に含まれる混合工程が、化合物のスペクトル特性が（例えば、混合工程の開始時における）非定常状態から（例えば、混合工程が完了していることを示す）定常状態に遷移する遷移を含むことができる。
【０００８】
従って、効率を改善し、及び／または製造工程を最適化するためには、製造工程を監視して、製造工程が定常状態に達した時点を（例えば、リアルタイムまたは準リアルタイムで）特定するべきである。製造工程の状態を検出するための可能な技術は、全スペクトル強度のような製造工程に関連する単一変数に基づいて製造工程の状態を検出する単変量技術を用いるモデルである。製造工程の状態を検出するための他の可能な技術は、主成分分析（ＰＣＡ：principle component analysis）技術を用いて一組の変数（即ち、主成分）を識別し、これら一組の変数を監視することに基づいて、製造工程の状態を検出し、製造工程が定常状態に達した時点を検出するモデルである。しかし、一部の場合には、製造工程中に測定されるデータが多変量データ（例えば、何百もの変数に関連するデータを含むＮＩＲ（near infrared：近赤外）スペクトル）となり得る。従って、単変量技術またはＰＣＡ技術によれば、比較的少数の変数に焦点を当てることに起因して、これらの技術が不正確な状態検出をもたらすことがあり、及び／または正確な状態検出を保証するためにはロバスト（頑健）性が不十分なことがある。
【０００９】
本明細書中に説明する実現は、製造工程（例えば、連続製造工程、バッチ製造工程、等）が定常状態に達したか否かを判定するためのサポートベクターマシン（ＳＶＭ）分類モデルを生成し、このＳＶＭ分類モデルを用いて、製造工程に関連する多変量スペクトルデータに基づいて、製造工程が定常状態に達したか否かを判定することができる検出装置を提供する。一部の実現では、ＳＶＭ分類モデルが、多数の変数（例えば、８０変数、１２０変数、１５０変数、等）を考慮に入れ、これにより、ＳＶＭモデルの精度及び／またはロバスト性を（例えば、上述した技術に比べて）向上させることができる。
【００１０】
図１Ａ〜１Ｃは、本明細書中に説明する実現例１００の概要の図である。図１Ａに参照番号１０２で示すように、検出装置が製造工程に関連する学習スペクトルデータを受信することができる。学習スペクトルデータ（時として第１スペクトルデータと称される）は、製造工程に関連するスペクトルデータを含むことができ、これらのデータに基づいて、製造工程が定常状態に達したか否かを検出することに関連する、サポートベクターマシン（ＳＶＭ）分類モデルの反復を生成することができる。例えば、学習スペクトルデータは、製造工程の実行中に分光計（スペクトロメーター）によって測定したスペクトル（例えば、ＮＩＲスペクトルのような多変量時系列データ）を含むことができる。製造工程において学習スペクトルデータを収集する期間中の実行部分は、製造工程の第１実行部分と称することができる。
【００１１】
図に示すように、学習スペクトルデータは、製造工程の開始時（時刻ｔ0）に測定したスペクトルデータ、製造工程が非定常状態であることを知った時点（時刻ｔus0）に測定したスペクトルデータ、製造工程が定常状態であることを知った時点（時刻ｔss0）に測定したスペクトルデータ、製造工程の終了時（時刻ｔe）に測定したスペクトルデータ、及び時刻ｔ0と時刻ｔeとの間の製造工程の状態が未知である時点に測定したスペクトルデータを含むことができる。
【００１２】
参照番号１０４〜１１６で示すように、検出装置は、学習スペクトルデータに基づいてＳＶＭ分類モデルの反復を生成することができる。例えば、参照番号１０４で示すように、ＳＶＭ分類モデルの初期反復（反復０）を生成するために、検出装置は、学習スペクトルデータに基づいて非定常状態データの初期集合（例えば、時刻ｔ0から時刻ｔus0までに測定したスペクトルデータを含む）及び定常状態データの初期集合（例えば、時刻ｔss0から時刻ｔeまでに測定したスペクトルデータを含む）を作成することができる。
【００１３】
参照番号１０６で示すように、検出装置は、非定常状態データの初期集合及び定常状態データの初期集合に基づいて、ＳＶＭ分類モデルの初期反復を生成することができる。図に示すように、学習スペクトルデータをＳＶＭ分類モデルの初期反復への入力として提供することに基づいて、検出装置は、ＳＶＭ分類モデルの初期反復に関連する初期予測遷移時刻（ｔtrans0）（例えば、ＳＶＭ分類モデルの初期反復が、製造工程が非定常状態から定常状態に遷移したことを予測する時刻）を決定することができる。
【００１４】
参照番号１０８で示すように、ＳＶＭ分類モデルの１回目の反復（反復１）を生成するために、検出装置は、学習スペクトルデータに基づいて、非定常状態データの第１集合（例えば、時刻ｔ0から時刻ｔtrans0までに測定したスペクトルデータを含む）及び定常状態データの第１集合（例えば、時刻ｔss0-dt*1から時刻ｔeまでに測定したスペクトルデータを含む）を作成することができる。特に、非定常状態データの第１集合は、ＳＶＭ分類モデルの初期反復によって予測した遷移時刻までに測定したスペクトルデータを含むのに対し、定常状態データの第１集合は、定常状態データの初期集合に含まれるデータ、並びに時刻ｔss0より１タイムステップ前に測定したスペクトルデータを含む。
【００１５】
参照番号１１０で示すように、検出装置装置は、非定常状態データの第１集合及び定常状態データの第１集合に基づいて、ＳＶＭ分類モデルの１回目の反復を生成することができる。図に示すように、学習スペクトルデータをＳＶＭ分類モデルの１回目の反復への入力として提供することに基づいて、検出装置は、ＳＶＭ分類モデルの１回目の反復に関連する第１予測遷移時刻（ｔtrans1）（例えば、ＳＶＭ分類モデルの１回目の反復が、製造工程が非定常状態から定常状態に遷移したことを予測した時刻）を決定することができる。
【００１６】
一部の実現では、製造工程が非定常状態であることを知った時刻から、ＳＶＭ分類モデルのｎ回目の反復を生成するために使用する定常状態データに関連する最も早い時刻が時間のしきい値量（例えば１タイムステップ）になるまで（例えば、定常状態データの集合が、ｔss0-dt*n＝ｔus0+dtから時刻ｔeまでに測定したスペクトルデータを含むまで）、検出装置は、この方法で、ＳＶＭ分類モデルのｎ（ｎ＞１）回の反復を生成して予測遷移時刻を決定することができる。
【００１７】
例えば、図１Ａに参照番号１１２で示すように、ＳＶＭ分類モデルのｎ回目の反復（反復ｎ）を生成するために、検出装置は、学習スペクトルデータに基づいて、非定常状態データのｎ番目の集合（例えば、時刻ｔ0から時刻ｔtrans(n-1)までに測定したスペクトルデータを含む）及び定常状態データのｎ番目の集合（例えば、時刻ｔss0-dt*n＝ｔus0+dtから時刻ｔeまでに測定したスペクトルデータを含む）を作成することができる。特に、非定常状態データのｎ番目の集合は、ＳＶＭ分類モデルの(ｎ−１)回目の（即ち、前回の）反復によって予測した遷移時刻までに測定したスペクトルデータを含むのに対し、定常状態データのｎ番目の集合は、定常状態データの(ｎ−１)番目の集合に含まれるスペクトルデータ、並びに時刻ｔss0-dt*(n-1)より１タイムステップ前に測定したスペクトルデータを含む。
【００１８】
参照番号１１４で示すように、検出装置は、非定常状態データのｎ番目の集合及び定常状態データのｎ番目の集合に基づいて、ＳＶＭ分類モデルのｎ回目の反復を生成することができる。図に示すように、学習スペクトルデータをＳＶＭ分類モデルのｎ回目の反復への入力として提供することに基づいて、検出装置は、ＳＶＭ分類モデルのｎ回目の反復に関連するｎ番目の予測遷移時刻（ｔtrans(n)）（例えば、ＳＶＭ分類モデルのｎ回目の反復が、製造工程が非定常状態から定常状態に遷移したことを予測した時刻）を決定することができる。
【００１９】
参照番号１１６で示すように、検出装置は、ＳＶＭ分類モデルのｎ回の反復によって予測したｎ個の遷移時刻に基づいて、製造工程に関連する主要（例えば、最も予測される）遷移時刻を決定することができる。参照番号１１８で示すように、検出装置は、製造工程に関連する遷移時刻に基づいて、最終的なＳＶＭ分類モデルを生成することができる。例えば、検出装置は、決定した主要遷移時刻より前に測定したスペクトルデータを含む非定常状態データの最終集合、及び決定した主要遷移時刻以後に測定した学習スペクトルデータを含む定常状態データの最終集合を作成することができる。従って、図に示すように、検出装置は、非定常状態データの最終集合及び定常状態データの最終集合に基づいて、最終的なＳＶＭ分類モデルを生成することができる。
【００２０】
図１Ｂに参照番号１２０で示すように、検出装置は（その後に）、（例えば、上述したように生成した最終的なＳＶＭ分類モデルを記憶することに基づいて）製造工程のある実行部分が定常状態に達したか否かを検出するに当たり使用するＳＶＭ分類モデルを識別することができる。例えば、検出装置は、製造工程が開始されているか開始されたことの指標を受信したことに基づいて、ＳＶＭ分類モデルを識別することができる。
【００２１】
参照番号１２２で示すように、検出装置は、製造工程の第２実行部分中に、製造工程に関連するスペクトルデータ（時として第２スペクトルデータまたは追加的スペクトルデータと称される）を受信することができる。例えば、図に示すように、分光計は、製造工程のこの実行部分中の所定時刻（例えば、時刻ｔA）にスペクトルデータを測定することができ、そして、このスペクトルデータを検出装置に提供することができる。当該実行部分中にＳＶＭ分類モデルへの入力用にスペクトルデータを収集する製造工程の実行部分は、製造工程の第２実行部分と称することができる。
【００２２】
さらに図示するように、検出装置は、スペクトルデータ及びＳＶＭ分類モデルに基づいて、製造工程が時刻ｔAに定常状態であるか否かを判定することができる。例えば、参照番号１２４で示すように、検出装置は、時刻ｔAに測定したスペクトルデータを、ＳＶＭ分類モデルへの入力として提供することができる。参照番号１２６で示すように、検出装置は、ＳＶＭ分類モデルの出力に基づいて、製造工程が時刻ｔAに定常状態でないものと判定することができる。一部の実現では、以下に説明するように、検出装置が、製造工程が定常状態であるか否かを、ＳＶＭ分類モデルに関連する決定境界に基づいて判定することができる。
【００２３】
図１Ｃに参照番号１２８で示すように、検出装置は、製造工程のその後の実行部分中（時刻ｔB）に、製造プロセスに関連するスペクトルデータを受信することができる。例えば、図に示すように、分光計は時刻ｔBにスペクトルデータを測定することができ、そしてこのスペクトルデータを検出装置に提供することができる。
【００２４】
さらに図示するように、検出装置は、スペクトルデータ及びＳＶＭ分類モデルに基づいて、製造工程が時刻ｔBに定常状態であるか否かを判定することができる。例えば、参照番号１３０で示すように、検出装置は、時刻ｔBに測定したスペクトルデータを、ＳＶＭ分類モデルの入力として提供することができる。参照番号１３２で示すように、検出装置は、ＳＶＭ分類モデルの出力に基づいて、製造工程が時刻ｔBに定常状態であるものと判定することができる。
【００２５】
参照番号１３４で示すように、一部の実現では、検出装置が（随意的に）製造工程が定常状態に達しているものと判定したことに基づいて、定常状態に関連する定量的測定基準を定めることができる。この定量的測定基準は、定常状態における化合物の成分の濃度、定常状態における粒径、等のような、定常状態に関連する定量的特性を示す測定基準を含むことができる。例えば、検出装置は、当該スペクトルデータに基づいて定常状態を検出したスペクトルデータを入力として受け取る回帰モデル（例えば、部分最小二乗（ＰＬＳ：partial least square）回帰モデル、サポートベクター回帰（ＳＶＲ：support vector regression）モデル）を記憶するか、こうした回帰モデルにアクセスして、定常状態に関連する定量的測定基準を出力として提供することができる。
【００２６】
参照番号１３６で示すように、製造工程が定常状態に達したものと判定したことに基づいて、検出装置は、製造工程が定常状態に達したことの指標を（例えば、製造工程を監視することに関連するユーザ装置に）提供することができる。さらに図示するように、検出装置は、定量的測定基準に関連する情報も提供することができる。
【００２７】
このようにして、検出装置は、製造工程が定常状態に達したか否かを判定するためのＳＶＭ分類モデルを生成し、このＳＶＭ分類モデルを用いて、製造工程に関連する多変量スペクトルデータに基づいて、製造工程が定常状態に達したか否かを判定することができる。
【００２８】
以上に示したように、図１Ａ〜１Ｃは例として提供するに過ぎない。他の例が可能であり、図１Ａ〜１Ｃに関して説明したものと異なることができる。
【００２９】
図２は、本明細書中に説明するシステム及び／または方法を実現することができる環境２００の例を示す。図２に示すように、環境２００は、１つ以上の分光計２１０−１〜２１０−Ｘ（Ｘ≧１）（ここでは集合的に分光計２１０で参照し、個別に２１０で参照する）、検出装置２２０、ユーザ装置２３０、及びネットワーク２４０を含むことができる。環境２００内の装置は、有線接続、無線接続、あるいは有線接続と無線接続との組合せにより相互接続することができる。
【００３０】
分光計２１０は、試料（例えば、製造工程に関連する試料）に対する分光計測を実行することができる装置を含む。例えば、分光計２１０は、分光法（例えば、近赤外（ＮＩＲ）分光法、中赤外（ｍｉｄ−ＩＲ）分光法、ラマン分光法、等のような振動分光法）を実行するデスクトップ（即ち、非ハンドヘルド）型分光装置を含むことができる。一部の実現では、分光計２１０が、分光計２１０によって取得したスペクトルデータを検出装置２２０のような他の装置による分析用に提供することを可能にすることができる。
【００３１】
装置２２０は、製造工程が定常状態に達したか否かを、製造工程に関連する分類モデル、及び製造工程に関連するスペクトルデータに基づいて検出することができる１つ以上の装置を含む。例えば、検出装置２２０は、サーバー、コンピュータ、クラウドコンピュータ装置、等のグループを含むことができる。一部の実現では、装置２２０が、製造工程に関連する学習スペクトルデータに基づいて分類モデルを生成することを可能にすることができる。一部の実現では、検出装置２２０が、環境２００内の分光計２１０等のような他の装置から情報を受信し、及び／または他の装置に情報を送信することができる。
【００３２】
ユーザ装置２３０は、製造工程が定常状態に達したか否かに関連する情報を受信し、処理し、及び／または提供することができる１つ以上の装置を含む。例えば、ユーザ装置２３０は、デスクトップ・コンピュータ、携帯電話（例えば、スマートホン、無線電話機、等）、ラップトップ・コンピュータ、タブレット・コンピュータ、ハンドヘルド・コンピュータ、ウェアラブル（装着型）通信装置（例えば、スマートウォッチ（腕時計）、スマートグラス（メガネ）、等）、または同種の装置のような通信兼コンピュータ装置を含むことができる。
【００３３】
ネットワーク２４０は、１つ以上の有線及び／または無線ネットワークを含む。例えば、ネットワーク２４０は、セルラ・ネットワーク（例えば、ロングターム・エボリューション（ＬＴＥ：long-term evolution）ネットワーク、３Ｇ（第３世代）ネットワーク、符号分割多元接続（ＣＤＭＡ：code division multiple access）ネットワーク、等）、公衆陸上移動ネットワーク（ＰＬＭＮ：public land mobile network）、ワイドエリア・ネットワーク（ＷＡＮ：wide area network）、メトロポリタン・エリア（都市規模）ネットワーク（ＭＡＮ：metropolitan area network）、電話網（例えば、公衆交換電話網（ＰＳＴＮ：public switched telephone network））、プライベート（私設）ネットワーク、アドホック・ネットワーク、イントラネット、インターネット、光ファイバー系ネットワーク、クラウドコンピュータ・ネットワーク、等、及び／または、これらもしくは他の種類のネットワークの組合せを含むことができる。
【００３４】
図２に示す装置の数及び配置は例として提供する。実際に、図２に示すものに追加した装置及び／またはネットワーク、図２に示すものよりも少数の装置及び／またはネットワーク、図２に示すものとは異なる装置及び／またはネットワーク、あるいは図２に示すものとは異なるように配置された装置及び／またはネットワークが存在し得る。さらに、図２に示す２つ以上の装置を単一の装置内に実現することができ、あるいは、図２に示す単一の装置を複数の分散型装置として実現することができる。それに加えて、あるいはその代わりに、環境２００内の装置の集合（例えば、１つ以上の装置）が、環境２００内の装置の他の集合によって実行されるものとして説明した１つ以上の機能を実行することができる。
【００３５】
図３は、装置３００の構成要素の例の図である。装置３００は、分光計２１０、検出装置２２０、及び／またはユーザ装置２３０に相当し得る。一部の実現では、分光計２１０、検出装置２２０、及び／またはユーザ装置２３０が、１つ以上の装置３００及び／または装置３００の１つ以上の構成要素を含むことができる。図３に示すように、装置３００は、バス３１０、プロセッサ３２０、メモリ３３０、記憶構成要素３４０、入力構成要素３５０、出力構成要素３６０、及び通信インタフェース３７０を含むことができる。
【００３６】
バス３１０は、装置３００の構成要素間の通信を可能にする構成要素を含む。プロセッサ３２０は、ハードウェア、ファームウェア、あるいはハードウェアとソフトウェアの組合せで実現することができる。プロセッサ３２０は、中央演算装置（ＣＰＵ：central processing unit）、グラフィック処理装置（ＧＰＵ：graphical processing unit）、アクセラレーテッド・プロセッシング・ユニット（ＡＰＵ：accelerated processing unit：加速処理装置）、マイクロプロセッサ、マイクロコントローラ、デジタルシグナルプロセッサ、フィールド・プログラマブル・ゲートアレイ（ＦＰＧＡ：field programmable gate array）、特定用途向け集積回路（ＡＳＩＣ：application specific integrated circuit）、または他の種類の処理構成要素を含む。一部の実現では、プロセッサ３２０が、ある機能を実行するようにプログラムすることができる１つ以上のプロセッサを含む。メモリ３３０は、ランダムアクセスメモリ（ＲＡＭ：random access memory）、読出し専用メモリ（ＲＯＭ：read only memory）、及び／または、プロセッサ３２０が利用する情報及び／または命令を記憶する動的または静的な記憶装置（例えば、フラッシュメモリ、磁気メモリ、及び／または光メモリ）を含む。
【００３７】
記憶構成要素３４０は、装置３００の動作及び利用に関係する情報及び／またはソフトウェアを記憶する。例えば、記憶構成要素３４０は、ハードディスク（例えば、磁気ディスク、光ディスク、光磁気ディスク、及び／または半導体ディスク）、コンパクトディスク（ＣＤ：compact disc）、デジタル多用途ディスク（ＤＶＤ：digital versatile disc）、フロッピー（登録商標）ディスク、カートリッジ、磁気テープ、及び／または他の種類の非一時的コンピュータ可読媒体を、対応するドライブ（駆動装置）と共に含むことができる。
【００３８】
入力構成要素３５０は、装置３００が例えばユーザ入力装置（例えば、タッチスクリーン・ディスプレイ、キーボード、キーパッド、マウス、ボタン、スイッチ、及び／またはマイクロホン）を介して情報を受信することを可能にする構成要素を含む。それに加えて、あるいはその代わりに、入力装置３５０は、情報を感知するためのセンサ（例えば、全地球測位システム（ＧＰＳ：global positioning system）構成要素、加速度計、ジャイロスコープ、及び／またはアクチュエータを含むことができる。出力構成要素３６０は、装置３００からの情報を提供する構成要素（例えば、ディスプレイ、スピーカ、及び／または１つ以上の発光ダイオード（ＬＥＤ：light emitting diode）を含む。
【００３９】
通信インタフェース３７０は、装置３００が、例えば有線接続、無線接続、あるいは有線接続と無線接続との組合せにより他の装置と通信することを可能にするトランシーバ型構成要素（例えば、トランシーバ及び／または別個の受信機及び送信機）を含む。通信インタフェース３７０は、装置３００が他の装置から情報を受信すること、及び／または他の装置に情報を提供することを可能にすることができる。例えば、通信インタフェース３７０は、イーサネット（登録商標）インタフェース、光インタフェース、同軸ケーブル・インタフェース、赤外線インタフェース、無線周波数（ＲＦ：radio frequency）インタフェース、ユニバーサル・シリアルバス（ＵＳＢ：universal serial bus）インタフェース、Ｗｉ−Ｆｉインタフェース、セルラ・ネットワーク・インタフェース、等を含むことができる。
【００４０】
装置３００は、本明細書中に説明する１つ以上のプロセスを実行することができる。装置３００は、メモリ３３０及び／または記憶構成要素３４０のような非一時的コンピュータ可読媒体が記憶しているソフトウェア命令をプロセッサ３２０が実行することに応答して、これらのプロセスを実行することができる。本明細書では、コンピュータ可読媒体を非一時的なメモリ装置として定義する。メモリ装置は、単一の物理的記憶装置内のメモリ空間、あるいは複数の物理的記憶装置に分散したメモリ空間を含む。
【００４１】
ソフトウェア命令は、他のコンピュータ可読媒体から、あるいは他の装置から通信インタフェース３７０を介して、メモリ３３０及び／または記憶構成要素３４０内に読み込むことができる。実行時に、メモリ３３０及び／または記憶構成要素３４０内に記憶されたソフトウェア命令は、本明細書中に説明する１つ以上の工程をプロセッサ３２０に実行させることができる。それに加えて、あるいはその代わりに、ハードウェア回路をソフトウェア命令の代わりに、あるいはソフトウェア命令と組み合わせて用いて、本明細書中に説明する１つ以上の工程を実行することができる。従って、本明細書中に説明する実現は、ハードウェア回路とソフトウェアとのいずれの特定の組合せにも限定されない。
【００４２】
図３に示す構成要素の数及び配置は例として提供する。実際に、装置３００は、図３に示すものに加えた構成要素、図３に示すものよりも少数の構成要素、図３に示すものとは異なる構成要素、あるいは図３に示すものとは異なるように配置された構成要素を含むことができる。それに加えて、あるいはその代わりに、装置３００の構成要素の集合（例えば、１つ以上の構成要素）が、装置３００の構成要素の他の集合によって実行されるものとして説明した１つ以上の機能を実行することができる。
【００４３】
図４は、製造工程が定常状態に達した時点を検出するための分類モデルを生成するためのプロセス４００の例のフローチャートである。一部の実現では、図４の１つ以上のプロセス・ブロックを検出装置２２０によって実行することができる。一部の実現では、図４の１つ以上のプロセス・ブロックを、分光計２１０及び／またはユーザ装置２３０のような、検出装置２２０とは別個の、あるいは検出装置２２０を含む他の装置または装置グループによって実行することができる。
【００４４】
図４に示すように、プロセス４００は、製造工程に関連する学習スペクトルデータを受信するステップを含むことができる（ブロック４１０）。例えば、検出装置２２０が、製造工程に関連する学習スペクトルデータを受信する。
【００４５】
学習スペクトルデータは、製造工程に関連するスペクトルデータを含むことができ、このスペクトルデータに基づいて、ＳＶＭ分類モデルの反復を生成することができる。例えば、学習スペクトルデータは、製造工程のある実行部分中に分光計２１０によって測定したスペクトル（例えば、ＮＩＲスペクトルのような多変量時系列データ）を含むことができる。一部の実現では、製造工程を連続製造工程またはバッチ製造工程とすることができる。一部の実現では、以下に説明するように、検出装置２２０が、学習スペクトルデータに基づいてＳＶＭ分類モデルを生成することができる。
【００４６】
一部の実現では、学習スペクトルデータが、製造工程の以前の実行部分中の異なる時刻に（例えば、一連のタイムステップにおいて周期的に）測定した履歴スペクトルを含むことができる。例えば、学習スペクトルデータは、製造工程の以前の実行部分の開始時（本明細書では時刻ｔ0と称する）に測定したスペクトル、及び製造工程の以前の実行部分の終了時（本明細書では時刻ｔeと称する）に測定したスペクトルを含むことができる。
【００４７】
他の例として、学習スペクトルデータは、製造工程の以前の実行部分が非定常状態になっていることを知った時点（本明細書では時刻ｔus0と称する）に測定したスペクトルを含むことができる。一部の実現では、（例えば、製造工程の開始時に製造工程が非定常状態であるので）時刻ｔus0を時刻ｔ0と同じ時刻にすることができる。その代わりに、時刻ｔus0を、時刻ｔ0の１タイムステップ後、時刻ｔ0の５タイムステップ後、時刻ｔ0の４０タイムステップ後のような、時刻ｔ0より後の時刻にすることができる。一部の実現では、時刻ｔus0を、時刻ｔ0より後の、製造工程の以前の実行部分が非定常状態になっているものと想定される時刻にすることができる。
【００４８】
追加的な例として、学習スペクトルデータは、製造工程の以前の実行部分が定常状態になっていることを知った時点（本明細書では時刻ｔss0と称する）に測定したスペクトルを含むことができる。一部の実現では、（例えば、製造工程の終了時に製造工程が定常状態であるので）時刻ｔss0を時刻ｔeと同じ時刻にすることができる。その代わりに、時刻ｔss0を、時刻ｔeの１タイムステップ前、時刻ｔeの５タイムステップ前、時刻ｔeの４０タイムステップ前のような、時刻ｔeより前の時刻とすることができる。一部の実現では、時刻ｔss0を、時刻ｔeより前の、製造工程の以前の実行部分が定常状態になっているものと想定される時刻にすることができる。
【００４９】
さらに他の例として、学習スペクトルデータは、時刻ｔ0と時刻ｔeとの間の、製造工程の以前の実行部分の状態が未知である時点に測定したスペクトルを含むことができる。
【００５０】
一部の実現では、検出装置２２０が１つ以上の他の装置から学習スペクトルデータを受信することができ、これらの他の装置は、例えば、製造工程の以前の実行部分中に学習スペクトルデータを取得する１つ以上の分光計２１０、あるいは製造工程の以前の実行部分中に１つ以上の分光計２１０によって測定した学習スペクトルデータを記憶するサーバー装置である。
【００５１】
一部の実現では、学習スペクトルデータが、製造工程の以前の複数の実行部分に関連することができ、開始条件（例えば、全重量、粒径、分布、湿度レベル、等）は製造工程のこれら複数の実行部分間で変動する。こうした場合には、製造工程の複数の実行部分に関連する学習スペクトルデータの複数の集合を平均化し、及び／または他の方法で組み合わせて、学習スペクトルデータを形成することができる。一部の実現では、変動する開始条件で学習スペクトルデータを測定することが、これらの学習スペクトルデータに基づいて生成されるＳＶＭ分類モデルの精度及び／またはロバスト性の（例えば、開始条件の単一集合を有する製造工程の１つの実行部分に基づいて生成されるＳＶＭ分類モデルに比べた）増加を生じさせる。
【００５２】
一部の実現では、検出装置２２０が、学習スペクトルデータに対して次元縮小を実行することができる。次元縮小は、多変量学習スペクトルデータの変数の数を低減することを含むことができ、この多変量学習スペクトルデータに基づいてＳＶＭ分類モデルを生成することができる。一部の実現では、主成分分析（ＰＣＡ）技術を用いて次元縮小を実行することができ、これにより、ＳＶＭ分類モデルを生成するに当たり使用する主成分（即ち、複数の変数の部分集合）を識別する。それに加えて、あるいはその代わりに、変数選択技術を用いて次元縮小を実行することができ、これにより、これら複数の変数のうち、例えば製造工程に関連する化合物に特徴的な変数を選択する。こうした変数選択技術の例は、選択比（ＳＲ：selectivity ratio）技術、射影における変数重要度（ＶＩＰ：variable importance in projection）技術、等を含む。一部の実現では、次元縮小を実行することが、例えば、これら複数の変数間の干渉を除去すること及び／またはノイズを低減することによって、（例えば、学習スペクトルデータの全体集合に基づいて生成したＳＶＭ分類モデルに比べて）ＳＶＭ分類モデルの相互運用性の改善、及び／またはＳＶＭ分類モデルの生成の改善を生じさせることができる。
【００５３】
図４にさらに示すように、プロセス４００は、学習スペクトルデータに基づいて、非定常状態データの集合及び定常状態データの集合を作成するステップを含むことができる（ブロック４２０）。例えば、検出装置２２０が、学習スペクトルデータに基づいて、非定常状態データの集合及び定常状態データの集合を作成することができる。
【００５４】
この非定常状態データの集合は、ＳＶＭ分類モデルの反復を生成する目的で、学習スペクトルデータに含まれるスペクトルデータを含むことができ、このスペクトルデータは、製造工程が非定常状態であるものと想定される時刻に対応する。例えば、ＳＶＭ分類モデルの初期反復を生成することに関連する非定常状態データの初期集合は、時刻ｔ0から時刻ｔus0までの複数の時刻に測定したスペクトルデータを含むことができる。この例を継続して、ＳＶＭモデルの次回の反復を生成することに関連する非定常状態データの他の集合は、時刻ｔ0から時刻ｔtrans0までの（１つ以上の）時刻に測定したスペクトルデータを含むことができ、ここに、ｔtrans0はＳＶＭ分類モデルの初期反復によって予測した遷移時刻（例えば、非定常状態から定常状態への遷移の時刻）である。一般に、ＳＶＭモデルのｎ回目の反復を生成することに関連する非定常状態データのｎ番目の集合は、時刻ｔ0から時刻ｔtrans(n-1)までの（１つ以上の）時刻に測定したスペクトルデータを含むことができ、ここに、時刻ｔtrans(n-1)はＳＶＭ分類モデルの(ｎ−１)回目の（即ち、前回の）反復によって決定された遷移時刻である。ＳＶＭ分類モデルの反復を生成することに関する追加的な詳細は以下に説明する。
【００５５】
一部の実現では、例えば、学習スペクトルデータに含まれる追加的スペクトルデータを、ＳＶＭモデルの前回の反復を生成することに関連する非定常状態データの集合に追加することによって、非定常状態データの集合を更新し、修正し、及び／または再作成して、ＳＶＭモデルの各回の反復を生成することができる。例えば、ＳＶＭ分類モデルのｎ回目の反復を生成するための非定常状態データのｎ番目の集合は、ＳＶＭ分類モデルの(ｎ−１)回目の反復を生成するために使用した非定常状態データの(ｎ−１)番目の集合、並びに非定常状態データの(ｎ−１)番目の集合における最終時刻からＳＶＭ分類モデルの(ｎ−１)回目の反復を用いて予測した遷移時刻までの（１つ以上の）時刻に測定したスペクトルデータを含むことができる。特定例として、ＳＶＭ分類モデルの４回目の反復を生成するための定常状態データの集合は、時刻ｔ0から時刻ｔtrans3までに（例えば、開始時刻からモデルの３回目の反復を用いて決定した遷移時刻までに）測定したスペクトルデータを含むことができるのに対し、ＳＶＭ分類モデルの５回目の（即ち、次回の）反復を生成するための定常状態データの集合は、時刻ｔ0から時刻ｔtrans4までに（例えば、開示時刻からＳＶＭ分類モデルの４回目の反復を用いて決定した遷移時刻までに）測定したスペクトルデータを含むことができる。
【００５６】
定常状態データの集合は、ＳＶＭ分類モデルの反復を生成する目的で、学習スペクトルデータに含まれるスペクトルデータを含むことができ、このスペクトルデータは、製造工程の以前の実行部分が定常状態であるものと想定される時刻に対応する。例えば、ＳＶＭ分類モデルの初期反復を生成することに関連する定常状態データの初期集合は、時刻ｔss0から時刻ｔeまでの（１つ以上の）時刻に測定したスペクトルデータを含むことができる。この例を継続して、ＳＶＭモデルの次回の反復を生成することに関連する定常状態データの他の集合は、時刻ｔss0-dt*1から時刻ｔeまでの（１つ以上の）時刻に測定したスペクトルデータを含むことができ、ここに、時刻ｔss0-dt*1はｔss0より１タイムステップ前の時刻である。換言すれば、検出装置２２０は、ＳＶＭ分類モデルの各回の反復を生成する際に、時刻ｔss0より前のタイムステップに関連するスペクトルデータを、定常状態データの各集合に追加する。一般に、ＳＶＭモデルのｎ回目の反復を生成することに関連する定常状態データのｎ番目の集合は、時刻ｔss0-dt*nから時刻ｔeまでに測定したスペクトルデータを含むことができ、ここに、時刻ｔss0-dt*nは時刻ｔss0よりｎタイムステップ前の時刻である。
【００５７】
一部の実現では、例えば、追加的スペクトルデータを、ＳＶＭモデルの前回の反復を生成することに関連する定常状態データの集合に追加することによって、定常状態データの集合を更新し、修正し、及び／または再作成して、ＳＶＭモデルの各回の反復を生成することができる。例えば、ＳＶＭ分類モデルの所定回の反復を生成するための定常状態データの集合は、ＳＶＭ分類モデルの前回の反復を生成するために使用した定常状態データの集合に含まれるスペクトルデータ、並びにＳＶＭ分類モデルの前回の反復を生成するためのスペクトルデータの集合に関連する最も早期のタイムステップの直前のタイムステップに測定したスペクトルデータを含むことができる。特定例として、ＳＶＭ分類モデルの４回目の反復を生成するための定常状態データの集合は、時刻ｔss0-dt*4から時刻ｔeまでに測定したスペクトルデータを含むことができるのに対し、ＳＶＭ分類モデルの５回目の（即ち、次回の）反復を生成するための定常状態データの集合は、時刻ｔss0-dt*5から時刻ｔeまでに測定したスペクトルデータ（即ち、ｔss0-dt*4よりも１タイムステップ早いスペクトルデータ）を含むことができる。
【００５８】
図４にさらに示すように、プロセス４００は、非定常状態データの集合及び定常状態データの集合に基づいて、製造工程が定常状態に達したか否かを検出することに関連するＳＶＭ分類モデルの反復を生成するステップを含むことができる（ブロック４３０）。例えば、検出装置２２０が、非定常状態データの集合及び定常状態データの集合に基づいて、製造工程が定常状態に達した時点を検出することに関連するＳＶＭ分類モデルの反復を生成することができる。
【００５９】
一部の実現では、検出装置２２０が、非定常状態データの集合及び定常状態データの集合にＳＶＭ技術を適用することに基づいて、ＳＶＭ分類モデルの反復を生成することができる。例えば、検出装置２２０は、非定常状態データの集合が、例えば超平面の集合によって定常状態データの集合から分離されるように、非定常状態データの集合及び定常状態データの集合を空間内の点としてマッピングすることによって、ＳＶＭモデルを生成することができる。
【００６０】
一部の実現では、検出装置２２０が、学習スペクトルデータ及びＳＶＭ分類モデルの反復に基づいて、ＳＶＭ分類モデルの反復に関連する（即ち、ＳＶＭ分類モデルの反復によって予測される）予測遷移時刻を決定することができる。例えば、検出装置２２０は、非定常状態データの集合及び定常状態データの集合に基づいて、ＳＶＭ分類モデルの反復を生成することができる。ここで、検出装置２２０は、（例えば、時刻ｔ0から時刻ｔeまでの各タイムステップに関連する）学習スペクトルデータを同じ空間内にマッピングすることができ、この空間に基づいてＳＶＭ分類モデルを生成する。この例では、学習スペクトルデータのアイテムを（例えば、超平面の集合に対して）マッピングする場所に基づいて、ＳＶＭ分類モデルが、ＳＶＭ分類モデルの初期反復によって予測した、製造工程に関連する遷移時刻（ｔtrans(n)）を識別することができる。一部の実現では、以下に説明するように、検出装置２２０が、ＳＶＭ分類モデルの各回の反復毎に予測遷移時刻を決定することができる。一部の実現では、検出装置２２０が、ＳＶＭ分類モデルの反復に関連する予測遷移時刻を識別する情報を記憶して、検出装置２２０が製造工程に関連する遷移時刻を決定することを可能にすることができる。
【００６１】
図４にさらに示すように、プロセス４００は、ＳＶＭ分類モデルの他回の反復を生成するか否かを決定するステップを含むことができる（ブロック４４０）。例えば、検出装置２２０が、ＳＶＭ分類モデルの他回の反復を生成するか否かを決定することができる。
【００６２】
一部の実現では、検出装置２２０が、ＳＶＭ分類モデルの他回の反復を生成するか否かを、定常状態データの集合に関連する時刻に基づいて決定することができる。例えば、検出装置２２０は、ＳＶＭ分類モデルの反復を生成することを、定常状態データの集合に関連する時刻のうち最も早い時刻が、製造工程が非定常状態であることを知った時刻（時刻ｔus0）に関連するしきい値時刻を満足するまで継続するように構成することができる。特定例として、検出装置２２０は、定常状態データの集合に関連する最も早い時刻が、時刻ｔus0としきい値量だけ異なるまで（例えば、ｔss0-dt*nがｔus0から１タイムステップになる（ｔss0-dt*n＝ｔus0+dtになる）まで）、ＳＶＭ分類モデルの反復を生成すること（及び予測遷移時刻を決定すること）を継続するように構成することができる。
【００６３】
それに加えて、あるいはその代わりに、検出装置２２０は、ＳＶＭ分類モデルの他回の反復を生成するか否かを、反復しきい値に基づいて決定することができる。例えば、検出装置２２０は、ＳＶＭ分類モデルの反復をしきい値量の時間分だけ生成することを、しきい値回数の反復が生成されるまで継続する、等のように構成することができる。ここで、検出装置２２０は、ＳＶＭ分類モデルの他回の反復を生成するか否かを、しきい値を満足したか否か（例えば、しきい値量の時間が経過したか否か、しきい値回数の反復が生成されたか否か、等）に基づいて決定することができる。
【００６４】
図４にさらに示すように、ＳＶＭ分類モデルの他回の反復を生成する場合（ブロック４４０の「はい」）、プロセス４００は、学習スペクトルデータに基づいて、定常状態データの他の集合及び非定常状態データの他の集合を作成することを含むことができる（ブロック４２０）。例えば、検出装置２２０は、（例えば、Ｔss0-dt*n＞ｔus0+dtである際に、反復しきい値を満足しない際に、等）ＳＶＭ分類モデルの他回の反復を生成することを決定することができ、検出装置２２０は、学習スペクトルデータに基づいて、定常状態データの他の集合及び非定常状態データの他の集合を作成することができる。
【００６５】
一部の実現では、検出装置２２０は、非定常状態データの他の集合、及び定常状態データの他の集合を、ブロック４２０に関して上述した方法で作成することができる。一部の実現では、非定常状態データの他の集合及び定常状態データの他の集合を作成する際に、検出装置２２０は、ブロック４３０に関して上述したように、ＳＶＭ分類モデルの他回の反復を生成して、ＳＶＭ分類モデルの他回の反復によって予測される遷移時刻を決定することができる。
【００６６】
上述した反復プロセスの例として、検出装置２２０は、非定常状態データの初期集合（例えば、時刻ｔ0から時刻ｔus0までの（１つ以上の）時刻に測定した学習スペクトルデータを含む）及び定常状態データの初期集合（例えば、時刻ｔss0から時刻ｔeまでの（１つ以上の）時刻に測定した学習スペクトルデータを含む）を作成することができる。この例では、検出装置２２０は、ＳＶＭ技術を定常状態データの初期集合及び非定常状態データの初期集合に適用して、ＳＶＭ分類モデルの初期反復を生成することができる。次に、検出装置２２０は、学習スペクトルデータを、ＳＶＭ分類モデルの初期反復への入力として提供し、その出力として、ＳＶＭ分類モデルの初期反復に関連する初期予測遷移時刻（ｔtrans0）を決定することができる。
【００６７】
この例を継続して、検出装置２２０は、ｔss0＞ｔus0+dtであるものと判定することができ、従って、検出装置２２０はＳＶＭ分類モデルの他回の反復を生成することができる。次に、検出装置２２０は、学習スペクトルデータ及び初期予測遷移時刻に基づいて、定常状態データの第１集合（例えば、時刻ｔss0-dt*1から時刻ｔeまでに測定した学習スペクトルデータを含む）及び非定常状態データの初期集合（例えば、時刻ｔ0から時刻ｔtrans0までに測定した学習スペクトルデータを含む）を作成することができる。次に、検出装置２２０は、ＳＶＭ技術を定常状態データの第１集合及び非定常状態データの第１集合に適用して、ＳＶＭ分類モデルの１回目の反復を生成することができる。次に、検出装置２２０は、学習スペクトルデータをＳＶＭ分類モデルの１回目の反復への入力として提供し、その出力として、ＳＶＭ分類モデルの１回目の反復に関連する第１予測遷移時刻（ｔtrans1）を決定することができる。検出装置２２０は、この方法でＳＶＭ分類モデルの反復を生成する（そして予測遷移時刻を決定する）ことを、検出装置２２０が追加的反復を生成しないことを決定するまで継続することができる。
【００６８】
図４にさらに示すように、ＳＶＭ分類モデルの他回の反復を生成しない場合には（ブロック４４０の「いいえ」）、プロセス４００は、ＳＶＭ分類モデルの反復によって予測した遷移時刻に基づいて、製造工程に関連する遷移時刻を決定するステップを含むことができる（ブロック４５０）。例えば、検出装置２２０が、ＳＶＭ分類モデルの他回の反復を生成しないことを決定することができ、そして検出装置２２０は、製造工程に関連する遷移時刻を、ＳＶＭ分類モデルの反復によって予測した遷移時刻に基づいて決定することができる。
【００６９】
一部の実現では、検出装置２２０が、製造工程に関連する遷移時刻を、ＳＶＭ分類モデルの反復に関連する予測遷移時刻に基づいて決定することができる。例えば、検出装置２２０は、上述した方法で、ＳＶＭ分類モデルのｎ回の反復のそれぞれによって予測されるｎ個の遷移時刻を決定することができる。ここで、検出装置２２０は、製造工程に関連する遷移時刻を、ＳＶＭ分類モデルのｎ回の反復によって予測したうちの主要遷移時刻（例えば、最大の発生回数を有する予測遷移時刻）として決定することができる。
【００７０】
図５Ａ及び５Ｂは、製造工程に関連するＳＶＭ分類モデルの反復によって予測した遷移時刻に基づいて製造プロセスの遷移時刻を決定することに関連するグラフ表現５００及び５５０の例である。図５Ａ及び５Ｂの目的で、検出装置２２０はＳＶＭ分類モデルのｎ回の反復に対応するｎ個の遷移時刻を決定しているものと仮定する。
【００７１】
図５Ａでは、各点が、ＳＶＭ分類モデルの反復によって予測した遷移時刻を表し、ＳＶＭ分類モデルの反復に関連する時刻ｔss0-dt*n（即ち、ＳＶＭ分類モデルの反復を生成することに関連する定常状態の集合に関連する時刻ｔss0-d*n）に対してプロットしている。図５Ａに示すように、ｎ個の遷移時刻の集合のうちの主要遷移時刻は、時刻１３０である（例えば、時刻１３０は他の遷移時刻よりも多数回の反復によって予測されている）。この例では、検出装置２２０が、製造工程に関連する遷移時刻を時刻１３０として決定することができる。
【００７２】
代わりのグラフ表現を図５Ｂに示す。図５Ｂには、各遷移時刻の合計発生回数をプロットしている。ここでも、図５Ｂに示すように、ｎ個の遷移時刻の集合のうちの主要遷移時刻は時刻１３０である。こうして、検出装置２２０は、製造工程に関連する遷移時刻を時刻１３０として決定することができる。
【００７３】
以上に示したように、図５Ａ及び５Ｂは例として提供するに過ぎない。他の例が可能であり、図５Ａ及び５Ｂに関して説明したものと異なることができる。
【００７４】
図４を参照すれば、プロセス４００が、製造工程に関連する遷移時刻に基づいて最終的なＳＶＭ分類モデルを生成するステップを含むことができる（ブロック４６０）。例えば、検出装置２２０が、製造工程に関連する遷移時刻に基づいて、最終的なＳＶＭ分類モデルを生成することができる。
【００７５】
この最終的なＳＶＭ分類モデルは、ＳＶＭ分類モデルの反復に基づいて決定した、製造工程に関連する遷移時刻に基づいて生成したＳＶＭ分類モデルを含むことができる。
【００７６】
一部の実現では、検出装置２２０が、製造工程に関連する遷移時刻に基づいて最終的な分類モデルを生成することができる。例えば、検出装置２２０は、上述したように、製造工程に関連する遷移時刻を決定することができる。ここでは、検出装置２２０が非定常状態データの最終的な集合及び定常状態データの最終的な集合を作成することができ、非定常状態データの最終的な集合は、遷移時刻より前の（１つ以上の）時刻に関連する学習スペクトルデータを含み、定常状態データの最終的な集合は、遷移時刻以後の（１つ以上の）時刻に関連する学習スペクトルデータを含む。この例では、検出装置２２０が、非定常状態データの最終的な集合及び定常状態データの最終的な集合にＳＶＭ技術を適用することができ、そして最終決定されたＳＶＭ分類モデルを、上述した方法と同様な方法で生成することができる。
【００７７】
一部の実現では、上述したように、ＳＶＭ分類モデルが決定境界（例えば、超平面）を含むことができ、この決定境界は、製造工程のその後の実行部分が定常状態に達したか否かを判定する根拠として機能することができる。決定境界に関する追加的な詳細は、図６に関して以下に説明する。
【００７８】
一部の実現では、検出装置２２０が最終的なＳＶＭ分類モデルを記憶することができ、これにより、上述したように、検出装置２２０はこの最終的なＳＶＭ分類モデルを用いて、製造工程のその後の実行部分が非定常状態であるか定常状態であるかを判定することができる。このようにして、検出装置２２０はＳＶＭ分類モデルを生成することができ、このＳＶＭ分類モデルは、製造工程に関連するスペクトルデータを入力として受信して、製造工程が非定常状態であるか定常状態であるかの指標を出力として提供することができる。
【００７９】
一部の実現では、製造工程が複数回の状態遷移を含むことがあり、検出装置２２０は、定常状態毎にプロセス４００を反復して、製造工程に関連する複数のＳＶＭ分類モデルを決定することができる。例えば、製造工程は、１回目の非定常状態から１回目の定常状態に遷移し、１回目の定常状態から２回目の非定常状態に遷移し、そして２回目の非定常状態から２回目の定常状態に遷移することができる。この例では、検出装置２２０が（例えば、製造工程に関連して測定した学習スペクトルに基づいて）プロセス４００を実行して、２回目の定常状態への遷移に関連するＳＶＭ分類モデルを生成することができる。次に、検出装置２２０は、（例えば、２回目の定常状態に関連する学習スペクトルデータを含まない学習スペクトルデータの部分集合に基づいて）プロセス４００を実行して、１回目の定常状態への遷移に関連するＳＶＭ分類モデルを生成することができる。
【００８０】
図４はプロセス４００のブロックの例を示しているが、一部の実現では、プロセス４００が、図４に示すものに加えた構成要素、図４に示すものよりも少数のブロック、図４に示すものとは異なるブロック、あるいは図４に示すものとは異なるように配置されたブロックを含むことができる。それに加えて、あるいはその代わりに、プロセス４００のブロックのうちの２つ以上を並行して実行することができる。
【００８１】
図６は、スペクトルデータに基づいて、ＳＶＭ分類モデルを用いて、製造工程が定常状態に達したか否かを判定するためのプロセス６００の例のフローチャートである。一部の実現では、図６の１つ以上のプロセス・ブロックを検出装置２２０によって実行することができる。一部の実現では、図６の１つ以上のプロセス・ブロックを、分光計２１０及び／またはユーザ装置２３０のような検出装置２２０とは別個の、あるいは検出装置２２０を含めた他の装置または装置グループによって実行することができる。
【００８２】
図６に示すように、プロセス６００は、製造工程が定常状態に達したか否かを検出するためのＳＶＭ分類モデルを識別するステップを含むことができる（ブロック６１０）。例えば、検出装置２２０は、製造工程が定常状態に達したか否かを検出するためのＳＶＭ分類モデルを識別することができる。
【００８３】
一部の実現では、検出装置２２０が、検出装置２２０が記憶している情報または検出装置２２０によってアクセス可能な情報に基づいてＳＶＭ分類モデルを識別することができる。例えば、検出装置２２０は、プロセス４４０に関して上述したように、検出装置２２０によって生成した最終的なＳＶＭ分類モデルを記憶することに基づいて、ＳＶＭ分類モデルを識別することができる。
【００８４】
一部の実現では、検出装置２２０が製造工程を監視するべきことの指標を、検出装置２２０が（例えば、分光計２１０から、ユーザ装置２３０から、ユーザ入力に基づいて、等で）受信すると、検出装置２２０はＳＶＭ分類モデルを識別して、製造プロセスが定常状態に達した時点を特定することができる。例えば、検出装置２２０は、分光計２１０及び／またはユーザ装置２３０から、特定の製造工程を開始するべきこと、あるいは特定の製造工程が開始されたことの指標を受信することができ、例えば、検出装置２２０が製造工程を自動的に監視するように構成されている際に、この指標を受信したことに基づいてＳＶＭ分類モデルを（自動的に）識別して、製造工程が定常状態に達した時点を検出することができる。
【００８５】
図６にさらに示すように、プロセス６００は、製造工程に関連するスペクトルデータを受信するステップを含むことができる（ブロック６２０）。例えば、検出装置２２０が、製造工程に関連するスペクトルデータを受信することができる。
【００８６】
一部の実現では、このスペクトルデータが、製造工程の実行中に１つ以上の分光計２１０によって測定したスペクトルを含むことができる。一部の実現では、検出装置２２０が、製造工程中にスペクトルデータをリアルタイムまたは準リアルタイムで受信することができる。例えば、検出装置２２０は、製造工程の実行部分中に分光計２１０によって測定したスペクトルデータを、分光計２１０がスペクトルデータを取得することに対してリアルタイムまたは準リアルタイムで受信することができる。一部の実現では、以下に説明するように、検出装置２２０が、スペクトルデータ及びＳＶＭ分類モデルに基づいて、製造工程が定常状態に達したか否かを判定することができる。
【００８７】
図６にさらに示すように、プロセス６００は、スペクトルデータ及びＳＶＭ分類モデルに基づいて、製造工程が定常状態に達したか否かを判定するステップを含むことができる（ブロック６３０）。例えば、検出装置２２０が、スペクトルデータ及びＳＶＭ分類モデルに基づいて、製造工程が定常状態に達したか否かを判定することができる。
【００８８】
一部の実現では、検出装置２２０が、製造工程が定常状態に達したか否かを、ＳＶＭ分類モデルに関連する決定境界に基づいて判定することができる。例えば、（上述したように）学習スペクトルデータを用いて製造工程の遷移時刻を識別することに基づいて、検出装置２２０は、分光空間内の超平面によって表される決定境界を含むＳＶＭ分類モデルを生成することができる。ここで、決定境界の内側にある分光空間内の点は、製造工程が定常状態である分光条件を表すのに対し、決定境界の外側にある点は、製造工程が非定常状態である分光条件を表す。一部の実現では、上述したように、製造工程に関連する遷移時刻を特定した後に、ＳＶＭ分類モデル技術を学習スペクトルデータに適用することに基づいて、決定境界データを生成することができる。
【００８９】
図７Ａ及び７Ｂは、ＳＶＭ分類モデルに関連する簡略化した決定境界を例示するグラフ表現７００の例である。例示目的で、図７Ａ及び７Ｂに示す決定境界は、第１主成分（ＰＣ１：principal component 1）及び第２主成分（ＰＣ２）に関連するものとして示している。実際には、決定境界は異なる数の構成要素（例えば、８０変数、１２０変数、等）に関連することができる。
【００９０】
図７Ａ及び７Ｂでは、グレー色の点及び線が、製造工程が非定常状態である（１つ以上の）時刻に（例えば、ｔ0からＳＶＭ分類モデルに関連する遷移時刻までに）測定した学習スペクトルデータを表すのに対し、黒色の点及び線は、製造工程が定常状態である（１つ以上の）時刻に（例えば、ＳＶＭ分類モデルに関連する遷移時刻から時刻ｔeまでに）測定した学習スペクトルデータを表す。ライトグレー（薄灰）色の円は、製造工程が非定常状態であった最後の点及び製造工程が定常状態であった最初の点を表す。図７Ａは、製造工程に関連する全部の（例えば、時刻ｔ0から時刻ｔeまでの）学習スペクトルデータのグラフ表現であるのに対し、図７Ｂは、図７Ａ中に破線の四角形で示す空間内の点の拡大図である。図７Ｂでは、決定境界は定常状態に関連する点（並びに非定常状態に関連する点の部分集合）を囲む太線で表される。以上に示すように、図７Ａ及び７Ｂは簡略化した図示の例として提供するに過ぎない。他の例が可能であり、図７Ａ及び７Ｂに関して説明したものと異なることができる。
【００９１】
一部の実現では、検出装置２２０が、製造工程が定常状態に達したか否かを、決定境界（例えば、図７Ｂに示すような決定境界）に基づいて判定することができる。例えば、検出装置２２０は、製造工程に関連するスペクトルデータを受信することができ、そしてこのスペクトルデータを、決定境界に関連する空間内の点としてマッピングすることができる。ここで、スペクトルデータに関連する点が決定境界上または決定境界内にある場合、検出装置２２０は、製造工程が定常状態に達したものと判定することができる。その代わりに、スペクトルデータに関連する点が決定境界の外側にある場合、検出装置２２０は、製造工程が定常状態に達していない（即ち、非定常状態である）ものと判定することができる。
【００９２】
一部の実現では、検出装置２２０が、製造工程が定常状態に達したか否かの判定に関連する信頼性測定基準（本明細書では決定値と称する）を生成することができる。例えば、検出装置２２０は、決定境界、及びスペクトルデータを表す点に基づいて、決定境界からスペクトルデータを表す点までの距離（例えば、決定境界上の最も近い点までの距離）を測定することができる。ここで、決定境界の内側の点は、正（または負）の決定値に割り当てることができるのに対し、決定境界の外側の点は、負（または正）の決定値に割り当てることができる。この例では、より大きい絶対値を有する決定値（例えば、４．０．２．５、−２．５、−４．０、等）が、より小さい絶対値を有する決定値（例えば。０．５、０．２、−０．２、−０．５、等）よりも、製造工程の状態の判定におけるより高い信頼性を表す。
【００９３】
以上に示すように、図７Ａ及び７Ｂは例示として提供するに過ぎない。他の例が可能であり、図７Ａ及び７Ｂに関して説明したものと異なることができる。
【００９４】
図８は、図７Ａ及び７Ｂの決定境界に基づいて特定した決定値の例のグラフ表現８００である。図８では、負の決定値が、製造工程中に測定した、決定境界の外側にある点によるスペクトルデータに対応するのに対し、正の決定値は、製造工程中に、決定境界の内側に入る点によるスペクトルデータに対応する。図８中に縦線で示すように、検出装置２２０は、およそタイムステップ６５で第１の正の決定値を特定している。
【００９５】
一部の実現では、検出装置２２０が、製造工程が定常状態に達したか否かを、決定値のしきい値に基づいて判定することができる。例えば、検出装置２２０は、決定境界の内側にある点に関連する決定値がしきい値を満足する際に、製造工程が定常状態に達したものと判定することができる。図８を特定例として用いれば、検出装置２２０が、２．０以上である正の決定値を特定した際に製造工程が定常状態に達したものと判定するように構成されている場合に、検出装置２２０はこうした判定をおよそタイムステップ７５において行うことができる。
【００９６】
他の例として、検出装置２２０は、連続する複数のタイムステップに関連する連続する複数の決定値がしきい値を満足する際に、製造工程が定常状態に達したものと判定することができる。図８を特定例として用いれば、検出装置２２０が、連続する５つの正の決定値を特定した際に製造工程が定常状態に達したものと判定するように構成されている場合に、検出装置２２０は、こうした判定をおよそタイムステップ６９で行うことができる。
【００９７】
他の例として、検出装置２２０は、連続するしきい値個数の決定値がしきい値を満足する際に、製造工程が定常状態に達したものと判定することができる。図８を特定例として用いれば、検出装置２２０が、１．０以上である、連続する３つの正の決定値を特定した際に製造工程が定常状態に達したものと判定するように構成されている場合に、検出装置２２０は、こうした判定をおよそタイムステップ６８で行うことができる。
【００９８】
他の例として、検出装置２２０は、複数の決定値（例えば、連続する一連の正の決定値）の平均値または加重平均値がしきい値を満足する際に、製造工程が定常状態に達したものと判定することができる。一部の実現では、検出値のしきい値を用いることにより、（例えば、製造工程が本質的に確率的であり得るので）製造工程が定常状態に達したものと誤判定することを防ぐことができる。
【００９９】
以上に示すように、図８は例示として提供するに過ぎない。他の例が可能であり、図８に関して説明したものと異なることができる。
【０１００】
図６に戻れば、製造工程が定常状態に達していない場合（ブロック６３０の「いいえ」）プロセス６００は、製造工程に関連する追加的スペクトルデータを含むことができる。例えば、検出装置２２０は、製造工程が定常状態に達していないものと（例えば、製造工程がまだ非定常状態であるものと）判定することができ、そして（例えば、製造工程中の次のタイムステップで収集される）追加的スペクトルデータを待つことができる。
【０１０１】
一部の実現では、この追加的スペクトルデータに基づいて、上述した方法で、製造工程が定常状態に達しているか否かを判定することができる。一部の実現では、検出装置２２０は、スペクトルデータを受信して製造工程が定常状態に達したか否かを判定することを、製造工程が定常状態に達したものと検出装置２２０が判定するまで継続することができる。
【０１０２】
図６にさらに示すように、製造工程が定常状態に達した場合（ブロック６３０の「はい」）、プロセス６００は、定常状態に関連する定量的測定基準を定めるステップを含むことができる（ブロック６４０）。例えば、検出装置２２０は、製造工程が定常状態に達したものと判定することができ、そして定常状態に関連する定量的測定基準を定めることができる。
【０１０３】
この定量的測定基準は、定常状態における化合物の成分の濃度、定常状態における粒径、等のような定常状態に関連する定量的特性を示す測定基準を含むことができる。一部の実現では、検出装置２２０がスペクトルデータに基づいて検出した定常状態が、粒径のような特定の物理特性を有する成分化合物の特定組成に対応することができる。従って、上記定量的測定基準は、定常状態に関連するスペクトルデータに基づいて予測することができる。
【０１０４】
例えば、一部の実現では、検出装置２２０が、当該スペクトルデータに基づいて定常状態を検出したスペクトルデータを入力として受信し、定常状態に関連する定量的測定基準を出力として提供する回帰モデル（例えば、ＰＬＳ回帰モデル、ＳＶＲモデル）を記憶するか、こうした回帰モデルにアクセスすることができる。この例では、回帰モデルからの出力を、例えば、化合物の各成分の濃度、化合物の特定サイズ、等とすることができる。
【０１０５】
一部の実現では、検出装置２２０が、上記回帰モデルを記憶するか、こうした回帰モデルにアクセスすることができる。それに加えて、あるいはその代わりに、検出装置２２０は、学習スペクトルデータ及び定量的学習データ（例えば、学習スペクトルデータに対応する定量的測定基準を識別する情報）に基づいて、上記回帰モデルを生成することができる。一部の実現では、定量的測定基準の決定が随意的である。
【０１０６】
図６にさらに示すように、プロセス６００は、製造工程が定常状態に達したことの指標、及び上記定量的測定基準に関連する情報を提供するステップを含むことができる（ブロック６５０）。例えば、検出装置２２０は、製造工程が定常状態に達したことの指標、及び上記定量的測定基準に関連する情報を提供することができる。
【０１０７】
一部の実現では、検出装置２２０が、製造工程が定常状態に達したことの指標、及び／または、ユーザ装置２３０のような他の装置向けの定量的測定基準に関連する情報を提供することができる（これにより、ユーザは、製造工程が定常状態に達したことを知ること、及び／または定量的測定基準に関連する情報を見ることができる）。
【０１０８】
それに加えて、あるいはその代わりに、検出装置２２０は、製造工程が定常状態に達したことの指標を提供して、ある動作を自動的に実行させることができる。例えば、検出装置２２０は、製造工程を実行することに関連する装置にこの指標を提供して、製造工程を停止させて（例えば、定常状態に関連する混合工程を停止させて）、製造工程中の次のステップを開始させて、製造工程を再開する（例えば、新たな原材料に対して混合工程を再開する）ことができる。
【０１０９】
図６は、プロセス６００のブロックの例を示しているが、一部の実現では、プロセス６００が、図６に示すものに追加したブロック、図６に示すものよりも少数のブロック、図６に示すものとは異なるブロック、あるいは図６に示すものとは異なるように配置されたブロックを含むことができる。それに加えて、あるいはその代わりに、プロセス６００のブロックのうち２つ以上を並行して実行することができる。
【０１１０】
本明細書中に説明した実現は、製造工程（例えば、連続製造工程、バッチ製造工程、等）が定常状態に達したか否かを判定するためのＳＶＭ分類モデルを生成すること、及びＳＶＭ分類モデルを用いて、かつ製造工程に関連する多変量スペクトルデータに基づいて、製造工程が定常状態に達したか否かを判定することができる検出装置を提供する。一部の実現では、ＳＶＭ分類モデルが、多数の変数（例えば、８０変数、１２０変数、１５０変数、等）を考慮に入れ、これにより、ＳＶＭ分類モデルの精度及び／またはロバスト性を（例えば、単変量技術またはＰＣＡ技術に比べて）向上させることができる。
【０１１１】
以上の開示は、図示及び説明を提供するが、網羅的であること、あるいは実現を開示した明確な形態に限定することは意図していない。以上の開示を考慮した変更及び変形が可能であり、あるいは実現の実施より変更及び変形を獲得することができる。
【０１１２】
本明細書中に用いる構成要素とは、ハードウェア、ファームウェア、及び／またはハードウェアとソフトウェアの組合せとして広義に解釈されることを意図している。
【０１１３】
一部の実現は、しきい値に関連して本明細書中に説明している。本明細書中に用いる、しきい値を満足するとは、しきい値よりも大きい値、しきい値よりも多い値、しきい値よりも高い値、しきい値以上である値、しきい値よりも小さい値、しきい値よりも少ない値、しきい値よりも低い値、しきい値以下である値、しきい値に等しい値、等を参照する。
【０１１４】
本明細書中に説明したシステム及び／または方法は、ハードウェア、ファームウェア、あるいはハードウェアとソフトウェアの組合せの異なる形態で実現することができることは明らかである。これらのシステム及び／または方法を実現するために使用される実際の特化したハードウェアまたはソフトウェア・コードは、実現を限定するものではない。従って、本明細書中では、システム及び／または方法の動作及び挙動を特定のソフトウェア・コードを参照せずに説明したが、ソフトウェア及びハードウェアは、本明細書中の説明に基づくシステム及び／または方法を実現するように設計することができることは明らかである。
【０１１５】
特徴の特定の組合せを、特許請求の範囲に記載し、及び／または明細書中に開示しているが、これらの組合せは可能な実現の開示を限定することは意図していない。実際に、これらの特徴の多数は、特許請求の範囲に具体的に記載していない方法、及び／または明細書中に開示していない方法で組み合わせることができる。以下に挙げる各従属請求項は１つの請求項のみに従属することがあるが、可能な実現の開示は、特許請求の範囲中の各従属請求項を他のあらゆる請求項と組み合わせたものを含む。
【０１１６】
本明細書中に用いるどの要素も動作も命令も、特に断りのない限り、決定的または不可欠なものとして解釈するべきでない。また、本明細書中に用いる「ある...」は、１つ以上のアイテムを含むことを意図しており、「１つ以上の」と互換的に用いることができる。さらに、本明細書中に用いる「集合」とは、１つ以上のアイテム（例えば、関係するアイテム、無関係なアイテム、関係するアイテムと無関係なアイテムとの組合せ、等）を含むことを意図している。１つだけのアイテムを意図している場合、「１つの」または類似の文言を用いている。また、本明細書中に用いる「有する」、「有している」等は、上限がない用語を意図している。さらに、「基づく」は、特に断りのない限り「少なくとも部分的に基づく」ことを意味することを意図している。
【図１Ａ】
2018189638.tif 000003
【図１Ｂ】
2018189638.tif 000004
【図１Ｃ】
2018189638.tif 000005
【図２】
2018189638.tif 000006
【図３】
2018189638.tif 000007
【図４】
2018189638.tif 000008
【図５Ａ】
2018189638.tif 000009
【図５Ｂ】
2018189638.tif 000010
【図６】
2018189638.tif 000011
【図７Ａ】
2018189638.tif 000012
【図７Ｂ】
2018189638.tif 000013
【図８】
2018189638.tif 000014
【外国語明細書】
2018189638000001.pdf